(57)【要約】【課題】使用中に飾り部の位置が変わるおそれが少なく、頭髪から抜け落ちて紛失するおそれも少ない髪飾りを提供する。【解決手段】頭髪５に付ける髪飾り１Ａである。装飾２ｃが施された飾り部２と、この飾り部２の裏面側に設けられ、ループ部材となる頭髪５に絡み付き可能な合成樹脂製の面ファスナーのフック部３とで構成されている。髪飾り１Ａを手で摘んで、フック部３を頭髪５の所望部位に軽く押さえ付けると、フック部３が頭髪５の中に撓みながら入り込んで、頭髪５に複雑に絡み付くようになる。【選択図】図１
0003170903.tif 000002
【実用新案登録請求の範囲】
【請求項１】
頭髪に付ける髪飾りであって、
装飾が施された飾り部と、
この飾り部の裏面側に設けられ、ループ部となる頭髪に絡み付き可能な合成樹脂製の面ファスナーのフック部とで構成されていることを特徴とする髪飾り。
【請求項２】
前記飾り部は、表面に装飾を印刷した扁平な軽量シート体であることを特徴とする請求項１に記載の髪飾り。
【請求項３】
前記飾り部は、ハート形、クラウン形、蝶形、ドクロ形、カメリア形、フラワー形、リボン形、バラ形のようなデザイン形状に切り出されたものであることを特徴とする請求項２に記載の髪飾り。
【請求項４】
前記飾り部の装飾以外の部分は、頭髪と略同色であることを特徴とする請求項３に記載の髪飾り。
【請求項５】
前記飾り部の裏面に、頭髪に差し込んで付ける櫛、または頭髪に挟み込んで付けるＵ字形状のヘアピン若しくはヒンジ状のヘアクリップのような髪留め具が設けられ、前記フック部は、髪留め具の裏面側に設けられていることを特徴とする請求項１に記載の髪飾り。
【請求項６】
前記櫛は合成樹脂製であり、前記フック部は、櫛の裏面に、櫛の成形時に一体成形されていることを特徴とする請求項５に記載の髪飾り。
【考案の詳細な説明】
【技術分野】
【０００１】
本考案は、髪飾りに関する。
【背景技術】
【０００２】
従来、頭髪に付ける髪飾りとしては、図１２（ａ）のように、飾り部２０に取付けたＵ字形状のヘアピン２１を頭髪に挟み込んで付けるものがある（特許文献１参照）。また、図１２（ｂ）のように、飾り部２０に取付けたヒンジ状のヘアクリップ２２を頭髪に挟み込んで付けるものもある（特許文献２参照）。
【先行技術文献】
【特許文献】
【０００３】
【特許文献１】特開平９−３１３２３８号公報
【特許文献２】特開２００１−２９９４３４号公報
【考案の概要】
【考案が解決しようとする課題】
【０００４】
しかしながら、ヘアピン２１またはヘアクリップ２２のような髪留め具は、頭髪の挟み込み量、飾り部の大きさや重さ、取付けバランスによっては、使用中に傾いて、飾り部２０の位置が変わるおそれがあった。また、使用中に頭髪から抜け落ちて紛失するおそれもあった。
【０００５】
本考案は、前記問題を解消するためになされたもので、使用中に飾り部の位置が変わるおそれが少なく、頭髪から抜け落ちて紛失するおそれも少ない髪飾りを提供することを目的とするものである。
【課題を解決するための手段】
【０００６】
前記課題を解決するために、本考案は、頭髪に付ける髪飾りであって、装飾が施された飾り部と、この飾り部の裏面側に設けられ、ループ部となる頭髪に絡み付き可能な合成樹脂製の面ファスナーのフック部とで構成されていることを特徴とする髪飾りを提供するものである。
【０００７】
前記飾り部は、表面に装飾を印刷した扁平な軽量シート体である構成とすることができる。
【０００８】
前記飾り部は、ハート形、クラウン形、蝶形、ドクロ形、カメリア形、フラワー形、リボン形、バラ形のようなデザイン形状に切り出されたものである構成とすることができる。
【０００９】
前記飾り部の装飾以外の部分は、頭髪と略同色である構成とすることができる。
【００１０】
前記飾り部の裏面に、頭髪に差し込んで付ける櫛、または頭髪に挟み込んで付けるＵ字形状のヘアピン若しくはヒンジ状のヘアクリップのような髪留め具が設けられ、前記フック部は、髪留め具の裏面側に設けられている構成とすることができる。
【００１１】
前記櫛は合成樹脂製であり、前記フック部は、櫛の裏面に、櫛の成形時に一体成形されている構成とすることができる。
【考案の効果】
【００１２】
本考案によれば、髪飾りを手で摘んで、フック部を頭髪の所望部位に軽く押さえ付けると、フック部が頭髪の中に撓みながら入り込んで、頭髪に複雑に絡み付くから、髪飾りが頭髪から外れにくくなる。
【００１３】
このように、手で軽く頭髪に押え付けるというワンタッチ操作だけで、外れにくいように、髪飾りを頭髪にフィットするように簡単に付けることができる。
【００１４】
また、髪飾りを手で摘んで、外方に軽く引っ張ると、フック部が頭髪の中から撓みながら引き出されるので、ワンタッチ操作だけで、頭髪から髪飾りを簡単に外すことができる。
【００１５】
さらにまた、面ファスナーのフック部は、合成樹脂製で軽いうえに、飾り部の裏面の全面の広い面積に設けることが可能であるから、使用中に髪飾りが重さ等で傾くこともないので、飾り部の位置が変わるおそれが少ない。また、フック部が頭髪に複雑に絡み付くから、使用中に髪飾りが頭髪から抜け落ちて紛失するおそれも少ない。
【００１６】
一方、飾り部は、表面に装飾を印刷した扁平な軽量シート体で構成すれば、飾り部も合成樹脂製の扁平な軽量シート体とすることができる。したがって、合成樹脂製の面ファスナーのフック部と相俟って、髪飾り全体がより軽量化するようになる。また、軽量シート体の表面に装飾を印刷するだけであるから、印刷の種類や軽量シート体の外形状の種類を組み合わせることで、髪飾りの種類を豊富にすることができる。
【００１７】
また、飾り部の装飾は、ハート形、クラウン形、蝶形、ドクロ形、カメリア形、フラワー形、リボン形、バラ形のようなデザイン形状に切り出されたものである構成とすることができる。このようにすれば、矩形状等の飾り部の表面に、装飾をワンポイント的に単に印刷したものと比較して、より人目を引くようになるとともに、デザイン形状が異なる複数の髪飾りを組み合わせて頭髪に付けるアレンジを楽しむことができる。
【００１８】
さらに、飾り部の装飾以外の部分は、頭髪と略同色（例えば黒）である構成とすれば、頭髪に付けたときに、装飾以外の部分の色が同色の頭髪に溶け込んで、装飾が浮き上がって見えるようになり、より見栄えが向上するようになる。
【００１９】
また、飾り部の裏面に、櫛、またはヘアピン若しくはヘアクリップのような髪留め具を設け、フック部は、髪留め具の裏面側に設ける構成とすることができる。これによれば、髪留め具、例えば櫛を頭髪に差し込んで付ける、またはヘアピン若しくはヘアクリップを頭髪に挟み込んで付ける。その後、フック部を頭髪に軽く押さえ付けると、フック部が頭髪に複雑に絡み付くことで外れにくくなる。このように、髪留め具を用いることで、頭髪に髪飾りをしっかりと付けることができ、加えて、フック部が頭髪に複雑に絡み付くようになるから、髪留め具を用いた場合であっても、使用中に髪飾りが重さ等で傾くこともないので、飾り部の位置が変わるおそれが少ない。また、フック部が頭髪に複雑に絡み付くから、使用中に髪留め具とともに髪飾りが頭髪から抜け落ちて紛失するおそれも少ない。
【００２０】
さらに、合成樹脂製の櫛の裏面に、櫛の成形時にフック部を一体成形することで、別体の面ファスナーのフック部を貼り付ける等の手間が不要となる。
【図面の簡単な説明】
【００２１】
【図１】本考案の第１実施形態の髪飾りであり、（ａ）は分解斜視図、（ｂ）は断面図である。
【図２】面ファスナーのフック部であり、（ａ）は拡大側面図、（ｂ）は拡大平面図である。
【図３】第１実施形態の髪飾りの形状加工要領の平面図である。
【図４】第１実施形態の複数個の髪飾りを付けた頭髪の側面図である。
【図５】（ａ）〜（ｈ）はそれぞれ飾り部の装飾の例を示す平面図である。
【図６】本考案の第２実施形態の例１の髪飾りであり、（ａ）は正面図、（ｂ）は背面図、（ｃ）は略画的側面図である。
【図７】本考案の第２実施形態の例２の髪飾りであり、（ａ）は正面図、（ｂ）は背面図、（ｃ）は略画的側面図である。
【図８】本考案の第２実施形態の例３の髪飾りであり、（ａ）は正面図、（ｂ）は背面図、（ｃ）は略画的側面図である。
【図９】本考案の第２実施形態の例４の髪飾りであり、（ａ）は正面図、（ｂ）は背面図、（ｃ）は略画的側面図である。
【図１０】本考案の第２実施形態の例５の髪飾りであり、（ａ）は正面図、（ｂ）は略画的側面図である。
【図１１】第２実施形態の髪飾りを付けた頭髪の側面図である。
【図１２】（ａ）（ｂ）は、それぞれ背景技術の髪飾りの斜視図である。
【考案を実施するための形態】
【００２２】
以下、本考案を実施するための形態について、図面を参照しながら詳細に説明する。図１は第１実施形態の髪飾り１Ａであり、（ａ）は分解斜視図、（ｂ）は断面図である。図２は面ファスナーのフック部３であり、（ａ）は拡大側面図、（ｂ）は拡大平面図である。
【００２３】
図３は第１実施形態の髪飾り１Ａの形状加工要領の平面図である。図４は複数個の第１実施形態の髪飾り１Ａを付けた頭髪５の側面図である。図５（ａ）〜（ｈ）は、それぞれ飾り部２の装飾の例を示す平面図である。
【００２４】
図１（ａ）（ｂ）に示すように、頭髪５（図４参照）に付ける髪飾り１Ａは、飾り部２とフック部３とで構成されている。
【００２５】
飾り部２は、布２ａの表面にポリウレタン２ｂが塗工され、このポリウレタン２ｂの表面に、印刷等で装飾２ｃを施した扁平な薄い軽量シート体である。ここで、装飾２ｃとしては、図５に一例を示すように、（ａ）のハート形、（ｂ）のクラウン形、（ｃ）の蝶形、（ｄ）のドクロ形、（ｅ）のカメリア形、（ｆ）のフラワー形、（ｇ）のリボン形、（ｈ）のバラ形のようなデザイン形状がある。これらの例示以外にも様々なデザイン形状のものを採用することができる。また、宝石に見立てたガラスの石を適所に貼り付けることもできる。
【００２６】
各装飾２ｃは、印刷に限られるものではなく、飾り部２として合成樹脂製、紙製、木製、金属製の扁平な薄い軽量シート体に、装飾２ｃを打ち出し加工や削り加工等して立体的に形成することもできる。また、使用者自身が好みの装飾品（ビーズ等）を自由に貼り付けることもできる。
【００２７】
図５の各装飾２ｃは、縦・横長さが例えば約２０〜４０ｍｍ程度のサイズを想定しているが、縦・横長さが例えば約１０ｍｍ程度の小さいサイズ、あるいは、これら以外サイズとすることも可能である。
【００２８】
フック部３は、ポリプロピレン（合成樹脂）性のベースシート３ａの下面に多数個のフック突起３ｂが縦横に一体形成されている。
【００２９】
このフック部３のフック突起３ｂは、面ファスナー（Ｈｏｏｋ−ａｎｄ−Ｌｏｏｐ  Ｆａｓｔｅｎｅｒ）のループ部と対をなして、両者を強く圧迫すると、フック部とループ部とが相互に外れにくいように係止される。また、フック部とループ部を手で強く引き剥がすと、フック部とループ部との係止が外れる。面ファスナーは、メカニカルファスナーとも呼ばれている。
【００３０】
そして、頭髪（髪の毛）５自体は、フック部３のフック突起３ｂが絡み付く、面ファスナーのループ部としての機能を有するので、ループ部を設ける代わりに、頭髪５を利用することで、ループ部を省略することができることになる。
【００３１】
面ファスナーとしては、例えばクラレファスニング社製のマジックテープ（登録商標）がある。
【００３２】
ベースシート３ａの下面に一体形成されるフック突起３ｂは、図２のように、１本の太さＤが約０．０５ｍｍ、長さＬが約４ｍｍであり、隣り合う間隔Ｐが約１．５ｍｍで、先端が拡大して丸まったマッシュルーム形である。なお、先端が湾曲したＵ形（鉤状）であってもよい。
【００３３】
したがって、ベースシート３ａの縦・横長さが約２０ｍｍとすれば約１７０本、縦・横長さが約４０ｍｍとすれば約５１０本のフック突起３ｂが形成されていることになる。
【００３４】
各フック突起３ｂは、真っ直ぐに成形されるのでなく、図１（ｂ）のように、縦・横方向に無秩序に湾曲するように成形されることで、頭髪５に複雑に絡み付きやすくなる。
【００３５】
フック部３のベースシート３ａの上面にナイロン３ｃが塗工され、このナイロン３ｃの表面と飾り部２の布２ａの裏面とが接着剤４で接着されている。
【００３６】
例えば、図１（ｂ）のように、飾り部２の装飾２ｃの表面とフック部３のフック突起３ｂの先端との間の寸法Ｈは、約５．５ｍｍである。また、フック突起３ｂの長さＬが約４ｍｍであるから、装飾２ｃ、ポリウレタン２ｂ、布２ａ、接着剤４、ナイロン３ｃ、ベースシート３ａの総厚さは、約１．５ｍｍである。したがって、図５（ｆ）のフラワー形を例にとれば、縦・横長さが約３０ｍｍ内に収まるサイズであり、その重さは、１ｇにも満たないほど軽いものとなる。
【００３７】
そして、図３のように、長いシート状の飾り部２のポリウレタン２ｂの表面に、印刷等の装飾２ｃを連続的に施し、フック部３のナイロン３ｃの表面と飾り部２の布２ａの裏面とを接着剤４で接着する。その後、レーザカットやプレス打ち抜きで、図５（ａ）〜（ｈ）のような各装飾２ｃのデザイン形状（図３では簡略化して楕円形で示している。）に切り出すことで、髪飾り１Ａを簡単に量産化できるようになる。
【００３８】
第１実施形態の髪飾り１Ａであれば、図４のように、使用者は、髪飾り１Ａを手で摘んで、フック部３を頭髪５の髪の毛の長さ方向に対して直角な方向から、所望部位に軽く押さえ付ける。すると、フック部３が頭髪５の中に撓みながら入り込んで〔図１（ｂ）を参照〕、頭髪５に複雑に絡み付いて係止されるようになるので、髪飾り１Ａが頭髪５から外れにくくなる。特に女性の頭髪５は長くて細いことから、フック部３がより絡みやすい。
【００３９】
このように、手で軽く頭髪５に押え付けるというワンタッチ操作だけで、外れにくいように、髪飾り１Ａを頭髪５にフィットするように簡単に付けることができる。なお、髪飾り１Ａは、頭髪５に１個だけ付けるものではなく、図４のように、様々なデザインのものや大きさ異なるものを、頭髪５の所望部位に、所望角度で複数個を付けることもできる。
【００４０】
また、髪飾り１Ａの外周縁を手で摘んで、外方に軽く引っ張ると、フック部３が頭髪５の中から撓みながら引き出されて係止が外れるので、ワンタッチ操作だけで、頭髪５から髪飾り１Ａを簡単に外すことができる。
【００４１】
さらにまた、フック部３は、合成樹脂製で軽いうえに、飾り部２の裏面の全面の広い面積で貼り付けることが可能であるから、使用中に髪飾り１Ａが重さ等で傾くことがないので、飾り部２の位置が変わるおそれが少ない。
【００４２】
また、飾り部２は、扁平な軽量シート体で、布２ａの表面にポリウレタン２ｂを塗工し、このポリウレタン２ｂの表面に、印刷等の装飾２ｃを施したものである。したがって、合成樹脂製の面ファスナーのフック部３と相俟って、髪飾り１Ａ全体がより軽量化するようになる。また、軽量シート体の表面に装飾２ｃを印刷等するだけであるから、印刷等の種類や軽量シート体の外形状の種類を組み合わせることで、髪飾り１Ａの種類を豊富にすることができる。
【００４３】
さらに、装飾２ｃは、ハート形、クラウン形、蝶形、ドクロ形、カメリア形、フラワー形、リボン形、バラ形のようなデザイン形状に切り出している。したがって、矩形状等の飾り部の表面に、装飾をワンポイント的に単に印刷したものと比較して、より人目を引くようになる。また、図４のように、デザイン形状が異なる複数の髪飾りを組み合わせて頭髪に付けるアレンジを楽しむことができる。
【００４４】
また、飾り部２の装飾２ｃ以外の部分２ｆは、頭髪５と同色（例えば黒）であると、頭髪５に付けたときに、装飾２ｃ以外の部分２ｆの色が同色の頭髪５に溶け込んで、装飾２ｃが浮き上がって見えるようになり、より見栄えが向上するようになる。
【００４５】
なお、飾り部２の装飾２ｃ以外の部分２ｆは、凹凸状の装飾２ｃと同色（例えばシルバー）とすることもできる。
【００４６】
図６は第２実施形態の例１の髪飾り１Ｂ−１であり、（ａ）は正面図、（ｂ）は背面図、（ｃ）は略画的側面図である。
【００４７】
図６の髪飾り１Ｂ−１の飾り部２は、蝶状のリボン形であり、このリボン形の飾り部２の結び目２ｇの裏側に、頭髪５に差し込んで付ける櫛（髪留め具）６の基部６ｂを接着剤等で固定して設けている。
【００４８】
また、この櫛６の基部６ｂの裏面に、前記のフック部３を接着剤等で固定して設けている。
【００４９】
第２実施形態の例１の髪飾り１Ｂ−１であれば、図１１のように、使用者は、髪飾り１Ｂ−１を手で摘んで、櫛６の櫛部６ａを頭髪５に差し込んで付ける。その後、フック部３を頭髪５に軽く押さえ付ける。すると、フック部３が頭髪５の中に撓みながら入り込んで、頭髪５に複雑に絡み付いて係止されるようになる。
【００５０】
このように、櫛６を用いることで、頭髪５に髪飾り１Ｂ−１をしっかりと付けることができる。加えて、フック部３が頭髪５に複雑に絡み付くようになるから、櫛６を用いた場合であっても、使用中に髪飾り１Ｂ−１が重さ等で傾くこともないので、リボン（飾り部２）の位置が変わるおそれが少ない。また、フック部３が頭髪５に複雑に絡み付くから、使用中に櫛６とともに髪飾り１Ｂ−１が頭髪５から抜け落ちて紛失するおそれも少ない。
【００５１】
また、櫛６が合成樹脂製である場合、合成樹脂製のフック部３を櫛６の裏面に、櫛６の成形時に一体成形することもできる。このように、櫛６の裏面にフック部３を一体成形することで、別体の面ファスナーのフック部を貼り付ける等の手間が不要となる。
【００５２】
図７は第２実施形態の例２の髪飾り１Ｂ−２であり、（ａ）は正面図、（ｂ）は背面図、（ｃ）は略画的側面図である。
【００５３】
図７の髪飾り１Ｂ−２の飾り部２は、複数枚のテープをカールさせたリボン形であり、このリボン形の飾り部２の重ね合わせ部２ｈの表裏に跨って、頭髪５に挟み込んで付けるヘアピン（髪留め具）７の基部７ｂを差し込んで、接着剤等で固定して設けている。
【００５４】
また、このヘアピン７の基部７ｂの裏面に、重ね合わせ部２ｈの裏に跨って、前記のフック部３を接着剤等で固定して設けている。
【００５５】
第２実施形態の例２の髪飾り１Ｂ−２であれば、図１１のように、使用者は、髪飾り１Ｂ−２を手で摘んで、ヘアピン７を頭髪５に挟み込んで付ける。その後、フック部３を頭髪５に軽く押さえ付ける。すると、フック部３が頭髪５の中に撓みながら入り込んで、頭髪５に複雑に絡み付いて係止されるようになる。
【００５６】
このように、ヘアピン７を用いることで、頭髪５に髪飾り１Ｂ−２をしっかりと付けることができる。加えて、フック部３が頭髪５に複雑に絡み付くようになるから、ヘアピン７を用いた場合であっても、使用中に髪飾り１Ｂ−２が重さ等で傾くこともないので、リボン（飾り部２）の位置が変わるおそれが少ない。また、フック部３が頭髪５に複雑に絡み付くから、使用中にヘアピン７とともに髪飾り１Ｂ−２が頭髪５から抜け落ちて紛失するおそれも少ない。
【００５７】
図８は第２実施形態の例３の髪飾り１Ｂ−３であり、（ａ）は正面図、（ｂ）は背面図、（ｃ）は略画的側面図である。
【００５８】
図８の髪飾り１Ｂ−３の飾り部２は、例１と同様の蝶状のリボン形であり、このリボン形の飾り部２の結び目２ｇの裏側に、頭髪５に挟み込んで付けるヒンジ式のヘアクリップ（髪留め具）８の基部８ｂを接着剤等で固定して設けている。
【００５９】
また、このヘアクリップ８の基部８ｂの裏面に、前記のフック部３を接着剤等で固定して設けている。
【００６０】
第２実施形態の例３の髪飾り１Ｂ−３であれば、図１１のように、使用者は、髪飾り１Ｂ−３を手で摘んで、例２と同様に、ヘアクリップ８を頭髪５に挟み込んで付ける。その後、フック部３を頭髪５に軽く押さえ付ける。すると、フック部３が頭髪５の中に撓みながら入り込んで、頭髪５に複雑に絡み付いて係止されるようになる。
【００６１】
このように、ヘアクリップ８を用いることで、頭髪５に髪飾り１Ｂ−３をしっかりと付けることができる。加えて、フック部３が頭髪５に複雑に絡み付くようになるから、ヘアクリップ８を用いた場合であっても、使用中に髪飾り１Ｂ−３が重さ等で傾くこともないので、リボン（飾り部２）の位置が変わるおそれが少ない。また、フック部３が頭髪５に複雑に絡み付くから、使用中にヘアクリップ８とともに髪飾り１Ｂ−３が頭髪５から抜け落ちて紛失するおそれも少ない。
【００６２】
図９は第２実施形態の例４の髪飾り１Ｂ−４であり、（ａ）は正面図、（ｂ）は背面図、（ｃ）は略画的側面図である。
【００６３】
図９の髪飾り１Ｂ−４は、櫛９であり、飾り部２は、櫛部９ａを頭髪５に差し込んで付ける櫛（髪留め具）９の基部９ｂの表面に、印刷等で花柄の装飾２ｃを施したものである。
【００６４】
また、この櫛９の基部９ｂの裏面に、前記のフック部３を接着剤等で固定して設けている。
【００６５】
第２実施形態の例４の髪飾り１Ｂ−４であれば、図１１のように、使用者は、髪飾り１Ｂ−４を手で摘んで、櫛９の櫛部９ａを頭髪５に差し込んで付ける。その後、フック部３を頭髪５に軽く押さえ付ける。すると、フック部３が頭髪５の中に撓みながら入り込んで、頭髪５に複雑に絡み付いて係止されるようになる。
【００６６】
このように、櫛９を用いることで、頭髪５に髪飾り１Ｂ−４をしっかりと付けることができる。加えて、フック部３が頭髪５に複雑に絡み付くようになるから、櫛６を用いた場合であっても、使用中に髪飾り１Ｂ−４が重さ等で傾くこともないので、花柄の装飾２ｃ（飾り部２）の位置が変わるおそれが少ない。また、フック部３が頭髪５に複雑に絡み付くから、使用中に櫛６とともに髪飾り１Ｂ−４が頭髪５から抜け落ちて紛失するおそれも少ない。
【００６７】
図１０は第２実施形態の例５の髪飾り１Ｂ−５であり、（ａ）は正面図、（ｂ）は略画的側面図である。
【００６８】
図１０の髪飾り１Ｂ−５の飾り部２は、ガラス製またはプラスチック製の宝石形であり、この宝石形の飾り部２の裏面に、櫛部１０ａを頭髪５に差し込んで付ける櫛（髪留め具）１０の基部１０ｂを接着剤等で固定して設けている。
【００６９】
また、この櫛１０の基部１０ｂの裏面に、前記のフック部３を接着剤等で固定して設けている。
【００７０】
第２実施形態の例５の髪飾り１Ｂ−５であれば、図１１のように、使用者は、髪飾り１Ｂ−５を手で摘んで、櫛１０の櫛部１０ａを頭髪５に差し込んで付ける。その後、フック部３を頭髪５に軽く押さえ付ける。すると、フック部３が頭髪５の中に撓みながら入り込んで、頭髪５に複雑に絡み付いて係止されるようになる。
【００７１】
このように、櫛１０を用いることで、頭髪５に髪飾り１Ｂ−５をしっかりと付けることができる。加えて、フック部３が頭髪５に複雑に絡み付くようになるから、櫛１０を用いた場合であっても、使用中に髪飾り１Ｂ−５が重さ等で傾くこともないので、宝石形の飾り部２の位置が変わるおそれが少ない。また、フック部３が頭髪５に複雑に絡み付くから、使用中に櫛１０とともに髪飾り１Ｂ−５が頭髪５から抜け落ちて紛失するおそれも少ない。
【００７２】
前記実施形態において、第１実施形態の飾り部２に第２実施形態の各例の櫛６等のような髪留め具を設けることもできる。
【００７３】
前記実施形態の髪飾り１Ａ，１Ｂ−１〜１Ｂ−５は、頭髪５に付けることを前提としている。しかしながら、上着等の毛羽立った部分は、フック部３のフック突起３ｂが絡み付く、面ファスナーのループ部としての機能を有するので、頭髪５の他に、上着等の毛羽立った部分にも髪飾り１Ａ，１Ｂ−１〜１Ｂ−５を付けることも可能である。
【符号の説明】
【００７４】
１Ａ，１Ｂ−１〜１Ｂ−５  髪飾り
２    飾り部
２ｃ  装飾
２ｆ  装飾以外の部分
３    面ファスナーのフック部
５    頭髪
６，９，１０  櫛（髪留め具）
７    ヘアピン（髪留め具）
８    ヘアクリップ（髪留め具）
【図１】
0003170903.tif 000003
【図２】
0003170903.tif 000004
【図３】
0003170903.tif 000005
【図４】
0003170903.tif 000006
【図５】
0003170903.tif 000007
【図６】
0003170903.tif 000008
【図７】
0003170903.tif 000009
【図８】
0003170903.tif 000010
【図９】
0003170903.tif 000011
【図１０】
0003170903.tif 000012
【図１１】
0003170903.tif 000013
【図１２】
0003170903.tif 000014